(57)【要約】      （修正有）【課題】使用者の転倒を防止すると供に、ストラップの破損を防止する靴を提供する。【解決手段】靴１は、内側部と外側部に接続孔８を有するアッパー２と、アッパー２と連結された靴底と、一方の端部が内側部の接続孔８と接続され、他方の端部が外側部の接続孔８と接続され、アッパー２の甲部から靴底の踵部３Ｃまで回動可能なストラップ５とを備える。そして、この靴１は、アッパー２の内側部の一方の端部よりも下方には、靴幅方向Ｚに張り出した内側出っ張り部１３が形成され、この内側出っ張り部１３の靴幅方向Ｚの幅Ｗが一方の端部の厚みと同じ又は一方の端部の厚みよりも大きい構成をとる。【選択図】図３
0003218094.tif 000002
【実用新案登録請求の範囲】
【請求項１】
内側部と外側部に接続部を有するアッパーと、前記アッパーと連結された靴底と、一方の端部が前記内側部の接続部と接続され、他方の端部が前記外側部の接続部と接続され、前記アッパーの甲部から前記靴底の踵部まで回動可能なストラップと、を備える靴であって、
前記アッパーの内側部の前記一方の端部よりも下方には、靴幅方向に張り出した出っ張り部が形成され、
前記出っ張り部の前記靴幅方向の幅が、前記一方の端部の厚みと同じ又は前記一方の端部の厚みよりも大きい、
ことを特徴とする靴。
【請求項２】
前記出っ張り部の側部は、下方に向けて、前記靴幅方向の幅が小さくなるように湾曲して形成されている、
ことを特徴とする請求項１に記載の靴。
【考案の詳細な説明】
【技術分野】
【０００１】
本考案は、ストラップが取り付けられた靴に関し、歩いたり、走ったりする動作中に使用者が点等しにくいと供に、ストラップがはずれにくい靴に関するものである。
【背景技術】
【０００２】
従来から、アッパーによって、足の甲部のみが覆われ、踵部が覆われていない靴が知られている（例えば、特許文献１）。特許文献１の靴は、靴底と、この靴底に連結され、足の甲部を覆うアッパーと、両端部がアッパーの左右に取り付けられ、アッパーの甲部から靴底の踵部にかけて自在に回動できるストラップとを備えている。この靴では、靴底に踵部まで回動させストラップによって、足の踵部が支持される。そのため、足の踵部が靴底よりも外側（後方）にずれることを防ぐことができる。なお、この靴では、アッパーの内側部及び外側部からストラップの端部が出っ張るように取り付けられている。
【０００３】
また、靴前方と後方の内側部及び外側部にストラップ取り付け部品が設けられた靴底と、このストラップ取り付け部品に通されたストラップとを備えるサンダル靴が知られている（例えば、特許文献２）。特許文献２のサンダル靴は、アッパーが設けられておらず、前方のストラップによって足の甲部を靴底に固定し、後方のストラップによって足の踵部を靴底に固定して、使用される。
【先行技術文献】
【特許文献】
【０００４】
【特許文献１】米国特許第６９９３８５８号明細書
【特許文献２】登録実用新案第３１２７１３０号公報
【考案の概要】
【考案が解決しようとする課題】
【０００５】
靴は、歩いたり、走ったりする動作中に、内側部同士が接触することがある。
そうすると、特許文献１に記載の靴は、アッパーの内側部からストラップの端部が出っ張るように取り付けられているため、片側のストラップの端部が、もう一方の端部にひっかかり、使用者が転倒してしまうおそれがある。また、ストラップの端部同士が繰り返し接触すると、ストラップが破損したり、外れたりするおそれがある。
特許文献２に記載のサンダル靴も内側部側にストラップ取り付け部品が出っ張っているため、ストラップ取り付け部品が破損するおそれがある。
【０００６】
そこで、本考案は、使用者の転倒を防止すると供に、ストラップの破損を防止できる靴を提供することを目的とする。
【課題を解決するための手段】
【０００７】
本考案に係る靴は、内側部と外側部に接続部を有するアッパーと、アッパーと連結された靴底と、一方の端部が内側部の接続部と接続され、他方の端部が外側部の接続部と接続され、アッパーの甲部から靴底の踵部まで回動可能なストラップとを備え、アッパーの内側部の一方の端部よりも下方には、靴幅方向に張り出した出っ張り部が形成され、出っ張り部の靴幅方向の幅が、一方の端部の厚みと同じ又は一方の端部の厚みよりも大きいことを特徴とする。
【０００８】
本考案に係る靴は、出っ張り部の側部は、下方に向けて、靴幅方向の幅が小さくなるように、湾曲して形成されていることを特徴とする。
【考案の効果】
【０００９】
本考案に係る靴は、アッパーの内側部の一方の端部よりも下方には、靴幅方向に張り出した出っ張り部が形成され、出っ張り部の靴幅方向の幅が、一方の端部の厚みと同じ又は一方の端部の厚みよりも大きく設計されているため、使用者の動作中に内側部のストラップの端部同士が接触することを回避できる。したがって、ストラップの端部同士が引っかからず、使用者が転倒することを防止することができる。さらに、ストラップの端部同士が接触しないため、ストラップの端部が破損することを防止できる。
【００１０】
本考案に係る靴は、出っ張り部の側部が下方に向けて、靴幅方向の幅が小さくなるように、湾曲して形成されている。出っ張り部が湾曲状に形成されていると、出っ張り部にもう一方の靴の出っ張り部が引っかかりにくくなり、使用者は円滑に動作することができる。
【図面の簡単な説明】
【００１１】
【図１】本考案に係る靴（左足用）の左側面図である。
【図２】本考案に係る靴（左足用）の右側面図である。
【図３】本考案に係る靴（左足用）の上面図である。
【図４】本考案に係る靴（左足用）の靴底の上面図である。
【図５】本考案に係る靴（左足用）の底面図である。
【考案を実施するための形態】
【００１２】
本実施形態に係る靴を、図１から図５を参照し、説明する。
本実施形態に係る靴は、左足用と右足用を合わせて使用される。左足用の靴と右足用の靴は、左右対象の構造を有している。そのため、本実施形態では、左足用の靴を例に説明し、右足用の靴の説明は省略する。
【００１３】
本実施形態に係る靴１は、図１及び図２に示したように、足の甲部からつま先部を覆うアッパー２と、アッパー２の下側に連結された靴底３と、円形状のリベット４によって、両端がアッパー２に連結されたストラップ５とを備えている。
この靴１は、例えば、幼稚園、小学校、中学校用の外履きや上履きとして、使用される。
なお、図面上、靴１の足長方向を前後方向Ｘ、靴１の高さ方向を上下方向Ｙ、靴１の足幅方向を左右方向Ｚとする。
【００１４】
［アッパー２］
アッパー２は、足の上側を覆うものであり、樹脂製である。
このアッパー２は、靴底３と連結される垂直部２Ａと、前足部（足囲からつま先までの部分）を覆う水平部２Ｂと、中足部の甲部を覆う傾斜部２Ｃ（甲部）と、中足部の側部の一部を覆う側部２Ｄとを有している。垂直部２Ａは、アッパー２の前方、かつアッパー２と靴底３との境界部分である。側部２Ｄは、傾斜部２Ｃから後方にかけて傾斜して形成されている。そのため、靴１を履いた際、内くるぶしや外くるぶしを含む後足部が露出される。
【００１５】
垂直部２Ａには、アッパー２の外側と内側とを貫通する半円状の貫通孔６が複数形成されている。具体的には、左右方向Ｚの左側に４つの貫通孔６Ａ〜６Ｄ、前方に１つの貫通孔６Ｅ、左右方向Ｚの右側に３つの貫通孔６Ｆ〜６Ｈがそれぞれ形成されている。
水平部２Ｂ及び傾斜部２Ｃには、図３に示すように、アッパー２の外側と内側とを貫通する通気孔７が形成されている。この通気孔７は、楕円状であり、左右両側に２つずつ形成されている。左側に形成された通気孔７は長径方向が左後方向となるように形成されており、右側に形成された通気孔７は長径方向が右後方向となるように形成されている。
【００１６】
側部２Ｄの左右両側には、リベット４が挿入される円形状の接続孔８が形成されている（図２）。この接続孔８は、靴１において、接続部として機能する。
側部２Ｄの左右方向Ｚの右側（内側部）の接続孔８よりも下方に、内側出っ張り部１３が形成されている。この出っ張り部１３の靴幅方向の幅Ｗは、ストラップ５の端部の厚みと同じ、あるいは端部の厚みよりも大きく設計されている。また、側部２Ｄの左右方向Ｚの左側（外側部）の接続孔８よりも下方に、外側出っ張り部１４が形成されている。
【００１７】
［靴底３］
靴底３は、足の下面を支持するものであり、樹脂製であり、アッパー２と同じ素材で構成されている。
この靴底３のおもて面３Ａには、図４に示すように、複数の溝１０（１０Ａから１０Ｃ）が形成されている。この溝（溝部）１０は、少なくとも貫通孔６を始端又は終端としている。
具体的には、溝１０Ａは、貫通孔６Ａを始端、貫通孔６Ｈを終端として、形成されている。さらに、溝１０Ｂは、貫通孔６Ｂを始端、垂直部２Ａを終端、溝１０Ｃは、貫通孔６Ｃを始端、貫通孔Ｇを終端として、それぞれ形成されている。溝１０Ａから溝１０Ｃは、直線状に形成されている。また、前後方向Ｘに向けて、複数の溝１３が形成され、踵部３Ｃには円環状の溝が形成されている。
また、靴底３のおもて面３Ａには、滑り止めとしての円状の突起１４が形成されている。さらに、前後方向Ｘに向けて、複数の溝１５が形成され、踵部３Ｃには円環状の溝が形成され、靴底３のおもて面３Ａには、滑り止めとしての円状の突起１６が所定箇所に形成されている。
【００１８】
一方、靴底３のうら面３Ｂには、図５に示すように、靴底溝１１が複数形成されている。一部の靴底溝１１は、うら面３Ｂから靴底３の側面まで形成されている。これらの一部の底溝１１は、アッパー２に向けて溝の幅が小さくなるように設計されている（図１及び図２）。
【００１９】
［ストラップ５］
ストラップ５は、樹脂製であり、アッパー２や靴底３と同じ素材で構成されている。スタラップ５の長さは、靴１のサイズによって、適宜決定され、ストラップ５の厚みは約３ｍｍから６ｍｍに設計されている。
ストラップ５は、バンド状であり、両側に円形の端部５Ａ，５Ｂを有している。そして、これらの端部５Ａ，５Ｂには、リベット４が挿入される円形状のリベット挿入孔１２が形成されている（図１及び図２）。このストラップ５は、アッパー２に回動可能に取り付けられる。具体的には、ストラップ５は、湾曲させ、リベット挿入孔１２とアッパー２の接続孔８とを重ね合わせ、重ね合わされた孔にリベット４が挿入され、アッパー２の側部２Ｄの左側及び右側に取り付けられる。
【００２０】
ストラップ５は、アッパー２の傾斜部２Ｃ（甲部）の上端から靴底３の後端の踵部３Ｃまで自在に回動できる。ストラップ５を踵部３Ｃまで回動させた状態で使用した場合、ストラップ５は使用者の踵部を支持するため、使用者の足は、靴１から抜け出しづらくなる。一方、ストラップ５を傾斜部２Ｃの上端まで回動させた場合、靴１は、サンダル仕様として使用できる。
【００２１】
次に、本実施形態に係る靴１の作用効果について、説明する。
【００２２】
本実施形態に係る靴１は、側部２Ｄの左右方向Ｚの右側（内側部）の接続孔８よりも下方に、内側出っ張り部１３が形成され、この内側出っ張り部１３の靴幅方向の幅Ｗは、ストラップ５の端部５Ａの厚みと同じ、あるいは端部５Ａの厚みよりも大きく設計されている。そうすると、ストラップ５の端部５Ａにもう一方の靴が接触せずに、使用者は歩いたり、走ったりすることができる。
したがって、使用者が歩いたり、走ったりしているときに、転倒することが防止されると供に、端部５Ａが破損することが防止される。
【００２３】
さらに、本実施形態に係る靴１は、内側出っ張り部１３の側部が下方に向けて、靴幅方向の幅Ｗが小さくなるように、湾曲して形成されている。このように、内側出っ張り部１３の側部が湾曲状に形成されていると、内側出っ張り部１３にもう一方の靴の出っ張り部が引っかかりにくくなる。そのため、靴１の使用者は円滑に動作することができる。
【００２４】
本実施形態に係る靴１では、靴底３のおもて面３Ａの前方に複数の溝１０が形成され、この溝１０は線状に形成されている。そのため、溝１０は、滑り止めとしての役割を担う。そうすると、これらの溝１０によって、歩いたり、走ったりしているときに、使用者の足に力が加わった場合や外力が加わった場合でも、足が滑り、足の位置がずれることを防止できる。
【００２５】
また、溝１０は、貫通孔６とそれぞれ繋がっているため、靴１の内部に水が侵入した場合、水が溝１０を流れ、貫通孔６から靴１の外部に排出される。そのため、靴１の内部に水が溜まることが防止され、使用者に違和感を生じさせることを回避できる共に、靴１の内部の衛生状態が悪くなることを防止できる。水が浸入していない場合、溝１０及び貫通孔６を介して、靴１の内部に空気が流入又は流出される。そのため、足うらの通気性を確保でき、靴１の内部の衛生状態が悪くなることを防止できる。
【００２６】
本実施形態に係る靴１のアッパー２には、複数の通気孔７が形成されており、この通気孔７を介して、靴１の外部の空気が内部に流入したり、内部の空気が外部に流出したりする。そのため、靴１の内部の通気性を確保でき、靴１の内部の衛生状態が悪くなることを防止できる。
【００２７】
以上、本実施形態について説明したが、これ以外にも、本考案の主旨を逸脱しない限り、上記実施の形態で挙げた構成を取捨選択したり、他の構成に適宜変更することが可能である。
【符号の説明】
【００２８】
１      靴
２      アッパー
２Ａ    垂直部
２Ｂ    水平部
２Ｃ    傾斜部
２Ｄ    側部
３      靴底
３Ａ    おもて面
３Ｂ    うら面
３Ｃ    踵部
４      リベット
５      ストラップ
５Ａ，５Ｂ  端部
６      貫通孔
６Ａ〜６Ｈ  貫通孔
７      通気孔
８      接続孔（接続部）
１０    溝（溝部）
１０Ａ〜１０Ｃ  溝（溝部）
１１    靴底溝
１２    リベット挿入孔
１３    内側出っ張り部
１４    外側出っ張り部
１５    溝
１６    突起
Ｗ      幅
Ｘ      前後方向（足長方向）
Ｙ      上下方向（高さ方向）
Ｚ      左右方向（靴幅方向）
【図１】
0003218094.tif 000003
【図２】
0003218094.tif 000004
【図３】
0003218094.tif 000005
【図４】
0003218094.tif 000006
【図５】
0003218094.tif 000007